(57)【要約】【課題】  夏期等の暑い時期や、イブニングドレス等のアウターウェアを着用する場合において、ブラジャー等の下着類の肩ストラップの着脱を容易に行うことができ、不用意に外れることがない肩ストラップ用取付具を提供する。【解決手段】肩ストラップ用取付具は、取付本体、肩ストラップ取付用穴、係止ストランド及び開口部を有した取付具と、本体部及びアーム部を有した略Ｌ字状の留め具からなり、取付具は端部の一端面に嵌合手段を有し、嵌合手段を有する側の一端隅部に接合手段を有してなり、留め具は本体部とアーム部の交会部の一端面に接合手段と、接合手段と同一面上に嵌合手段を設置した係合部と、アーム部の端部に鉤状部を有してなり、アーム部を取付具の上縁部に覆設するようにして、取付具と留め具を接合手段にて回動自在に接合し、取付具及び留め具の嵌合手段を嵌合させて、留め具が開口部を閉鎖するようにして取り付けたことを特徴とするものである。【選択図】  図５
2008274497.tif 000002
【特許請求の範囲】
【請求項１】
カップ付き女性用衣類の本体に着脱可能とし、取付本体、肩ストラップ取付用穴、係止ストランド及び開口部を有する肩ストラップ用取付具において、
肩ストラップ用取付具は、
取付本体、肩ストラップ取付用穴、係止ストランド及び開口部を有した取付具と、
本体部及びアーム部を有した略Ｌ字状の留め具からなり、
前記取付具は、前記開口部に面しない前記係止ストランドにおける端部の一端面に嵌合手段を有し、
前記取付具における幅方向の前記嵌合手段を有する側の一端隅部に接合手段を有してなり、
前記留め具は、前記本体部と前記アーム部の交会部の一端面に接合手段と、
前記本体部における端部の前記接合手段と同一面上に嵌合手段を設置した係合部と、
前記アーム部の端部に鉤状部を有してなり、
前記留め具における前記アーム部を前記取付具における上縁部に覆設するようにして、前記取付具と前記留め具を接合手段にて回動自在に接合し、
前記取付具及び前記留め具における嵌合手段を嵌合させて、
前記留め具が前記取付具における前記開口部を閉鎖するようにして取り付けたことを特徴とする肩ストラップ用取付具。
【請求項２】
カップ付き女性用衣類の本体に着脱可能とし、取付本体、肩ストラップ取付用穴、係止ストランド及び開口部を有する肩ストラップ用取付具において、
肩ストラップ用取付具は、
取付本体、肩ストラップ取付用穴、係止ストランド及び開口部を有した取付具と、
本体部及びアーム部を有した略Ｌ字状の留め具からなり、
前記取付具は、前記開口部に面しない前記係止ストランドにおける端部の一端面に嵌合手段を有し、
前記取付具における幅方向の前記嵌合手段を有する側の一端隅部に接合手段を有し、
前記取付具の両端面に前記留め具の外形と同形状の上縁凹部及び端縁凹部を有してなり、
前記留め具は、前記本体部と前記アーム部の交会部に接合手段と、
前記本体部における端部に嵌合手段を設置した係合部と、
前記本体部の側面を貫通する空洞部と、
前記アーム部の端部に鉤状部を有してなり、
前記留め具における前記空洞部に前記取付具における前記取付本体の前記端縁凹部を嵌入させ、
前記取付具における前記上縁凹部を前記留め具における前記アーム部で、前記取付具における前記端縁凹部を前記留め具における前記本体部でそれぞれ覆設させて、
前記取付具と前記留め具の両端面を同一平面とし、
前記取付具と前記留め具を接合手段にて回動自在に接合し、
前記取付具及び前記留め具における嵌合手段を嵌合させて、
前記留め具が前記取付具における前記開口部を閉鎖するようにして取り付けたことを特徴とする肩ストラップ用取付具。
【請求項３】
カップ付き女性用衣類の本体に着脱可能とし、取付本体、肩ストラップ取付用穴、係止ストランド及び開口部を有する肩ストラップ用取付具において、
前記肩ストラップ用取付具における前記肩ストラップ取付用穴の下方に溝部が連接して形成されたことを特徴とする請求項１及び請求項２に記載の肩ストラップ用取付具。
【請求項４】
カップ付き女性用衣類の本体に着脱可能とし、取付本体、肩ストラップ取付用穴、係止ストランド及び開口部を有する肩ストラップ用取付具において、
前記肩ストラップ用取付具における前記肩ストラップ取付用穴の下方に、前記留め具における前記アーム部の鉤状部と同一円弧からなる溝部を連接して形成させ、
前記留め具の回動時に、前記留め具における前記アーム部の鉤状部と前記留め具における前記溝部の円弧とが合致して当接することを特徴とする請求項２に記載の肩ストラップ用取付具。
【請求項５】
カップ付き女性用衣類の本体に着脱可能とする肩ストラップ用取付具を端部に有する肩ストラップにおいて、
端部に請求項１乃至請求項４に記載の肩ストラップ用取付具を具備したことを特徴とする肩ストラップ。
【請求項６】
肩ストラップを衣類本体に着脱可能としたカップ付き女性用衣類において、
請求項５に記載の肩ストラップを具備したことを特徴とするカップ付き女性用衣類。
【発明の詳細な説明】
【技術分野】
【０００１】
本発明は、ブラジャー、ブラスリット、ボディースーツ、キャミソール等の肩ストラップ用取付具、肩ストラップ及びカップ付き女性用衣類に関するものである。
【背景技術】
【０００２】
従来から、肩ストラップを衣類本体に着脱可能にした衣類はブラジャー等に適用されている。この肩ストラップを衣類本体に着脱可能にした衣類は、例えば、夏期等の暑い時期に肩を出したり、イブニングドレス等で肩が露出するアウターウェアを着用する場合に、ブラジャー等の下着類の肩ストラップを取り外して着用することが可能となるとともに、肩ストラップレスブラジャー等を別途購入しなくてもよい、という利点があるので、近年普及している。
【０００３】
従来より、図２１に示すように、ブラジャー等に適用されている肩ストラップに用いられる取付具１０は図２０に示すリング部１０ａ、肩ストラップ取付用穴１０ｂ、開口部１０ｅ、及び係止用ストランド１０ｃを有しており、係止用ストランドの先端は鉤状に曲がっている係止部１０ｄを有した形状が開示されている。（例えば、特許文献１参照）。
【０００４】
また、外形が略左右対称とされ、肩ストラップの端部を係留する肩ストラップ係留部と、前記外形の対称軸に略垂直な所定方向に沿った幅が前記肩ストラップ係留部との境界部よりも広くなるよう構成された布材係留部とを備えた肩ストラップ用取付具と、カップ付き女性用衣類の所定位置に縫着され、前記肩ストラップ用取付具の布材係留部を挿入するための挿入口が形成され、前記挿入口に前記布材係留部が挿入されることで、前記布材係留部が前記布材により係留されるよう構成された布材とから成り、肩ストラップをカップ付き女性用衣類の本体に着脱する際、着脱をスムーズに行うことができる肩ストラップ構造も開示されている。（例えば、特許文献２参照）。
【特許文献１】実登３４０４１１１号公報
【特許文献２】特開２００２−３４８７０４号公報
【発明の開示】
【発明が解決しようとする課題】
【０００５】
従来、図２０に示した肩ストラップ用取付具では、夏期等の暑い時期や、イブニングドレス等のアウターウェアを着用する場合において、ブラジャー等の下着類の肩ストラップを取り外す際、その着脱が容易ではなかった。
【０００６】
特許文献１に係る発明によれば、ブラジャーのカップ部に設けられた取付具用筒状部の取付穴を大きくすると、取付具用筒状部への着脱は容易になるが、肩ストラップ取付状態でブラジャーを着用している場合に、前記取付穴から、肩ストラップ用取付具の係止用ストランド１０ｃが抜け易くなって着用中に肩ストラップが簡単に外れてしまうおそれがある。
【０００７】
また、肩ストラップ用取付具の開口部をあまり広く開けてしまうと、肩ストラップ取付状態でブラジャーを着用している場合に、前記取付穴から、肩ストラップ用取付具の係止用ストランド１０ｃが抜け易くなり、肩ストラップが外れてしまうおそれがある。
【０００８】
特許文献２に係る発明によれば、肩ストラップをカップ付き女性用衣類の本体に着脱する際、着脱をスムーズに行うことができる肩ストラップ構造を有しているが、肩ストラップ用取付具を取り付ける布材がカップ付き女性用衣類の所定位置に縫着されているという構造を有している為、構造上、個人で従来より使用しているお気に入りの肩ストラップ等を取り付けることはできないおそれがある。
【０００９】
また、肩ストラップをカップ付き女性用衣類の本体に着脱する際、着脱をスムーズに行いたい場合には肩ストラップのみではなく、この構造を有するブラジャーを別途購入しなければならないおそれがある。
【００１０】
そこで、本発明はこのような問題点を解決するものであって、夏期等の暑い時期や、イブニングドレス等のアウターウェアを着用する場合において、ブラジャー等の下着類の肩ストラップの着脱を容易に行うことができ、不用意に外れることがない肩ストラップ用取付具を提供することを課題とする。
【課題を解決するための手段】
【００１１】
前記問題点を解決するために、本発明の請求項１に記載の発明の肩ストラップ用取付具は、カップ付き女性用衣類の本体に着脱可能とし、取付本体、肩ストラップ取付用穴、係止ストランド及び開口部を有する肩ストラップ用取付具において、肩ストラップ用取付具は、取付本体、肩ストラップ取付用穴、係止ストランド及び開口部を有した取付具と、本体部及びアーム部を有した略Ｌ字状の留め具からなり、前記取付具は、前記開口部に面しない前記係止ストランドにおける端部の一端面に嵌合手段を有し、前記取付具における幅方向の前記嵌合手段を有する側の一端隅部に接合手段を有してなり、前記留め具は、前記本体部と前記アーム部の交会部の一端面に接合手段と、前記本体部における端部の前記接合手段と同一面上に嵌合手段を設置した係合部と、前記アーム部の端部に鉤状部を有してなり、前記留め具における前記アーム部を前記取付具における上縁部に覆設するようにして、前記取付具と前記留め具を接合手段にて回動自在に接合し、前記取付具及び前記留め具における嵌合手段を嵌合させて、前記留め具が前記取付具における前記開口部を閉鎖するようにして取り付けたことを特徴とするものである。
【００１２】
また、本発明の請求項２に記載の発明の肩ストラップ用取付具は、カップ付き女性用衣類の本体に着脱可能とし、取付本体、肩ストラップ取付用穴、係止ストランド及び開口部を有する肩ストラップ用取付具において、肩ストラップ用取付具は、取付本体、肩ストラップ取付用穴、係止ストランド及び開口部を有した取付具と、本体部及びアーム部を有した略Ｌ字状の留め具からなり、前記取付具は、前記開口部に面しない前記係止ストランドにおける端部の一端面に嵌合手段を有し、前記取付具における幅方向の前記嵌合手段を有する側の一端隅部に接合手段を有し、前記取付具の両端面に前記留め具の外形と同形状の上縁凹部及び端縁凹部を有してなり、前記留め具は、前記本体部と前記アーム部の交会部に接合手段と、前記本体部における端部に嵌合手段を設置した係合部と、前記本体部の側面を貫通する空洞部と、前記アーム部の端部に鉤状部を有してなり、前記留め具における前記空洞部に前記取付具における前記取付本体の前記端縁凹部を嵌入させ、前記取付具における前記上縁凹部を前記留め具における前記アーム部で、前記取付具における前記端縁凹部を前記留め具における前記本体部でそれぞれ覆設させて、前記取付具と前記留め具の両端面を同一平面とし、前記取付具と前記留め具を接合手段にて回動自在に接合し、前記取付具及び前記留め具における嵌合手段を嵌合させて、前記留め具が前記取付具における前記開口部を閉鎖するようにして取り付けたことを特徴とするものである。
【００１３】
また、本発明の請求項３に記載の発明の肩ストラップ用取付具は、請求項１及び請求項２に記載の肩ストラップ用取付具において、前記肩ストラップ用取付具における前記肩ストラップ取付用穴の下方に溝部が連接して形成されたことを特徴とするものである。
【００１４】
また、本発明の請求項４に記載の発明の肩ストラップ用取付具は、請求項２に記載の肩ストラップ用取付具において、前記肩ストラップ用取付具における前記肩ストラップ取付用穴の下方に、前記留め具における前記アーム部の鉤状部と同一円弧からなる溝部を連接して形成させ、前記留め具の回動時に、前記留め具における前記アーム部の鉤状部と前記留め具における前記溝部の円弧とが合致して当接することを特徴とするものである。
【００１５】
また、本発明の請求項５に記載の発明は、カップ付き女性用衣類の本体に着脱可能とする肩ストラップ用取付具を端部に有する肩ストラップにおいて、端部に請求項１乃至請求項４に記載の肩ストラップ用取付具を具備したことを特徴とするものである。
【００１６】
また、本発明の請求項６に記載の発明は、肩ストラップを衣類本体に着脱可能としたカップ付き女性用衣類において、請求項５に記載の肩ストラップを具備したことを特徴とするものである。
（作用）
【００１７】
請求項１及び請求項２に記載の肩ストラップ用取付具に係る発明では、本発明の肩ストラップ用取付具を肩ストラップの端部に用いた肩ストラップを、カップ付き女性用衣類本体に着脱可能にした衣類、例えばブラジャー等の下着類において、肩ストラップ用取付具に設けられた留め具を回動させ、前記取付本体及び前記留め具における嵌合手段を解除することによって、前記取付具における前記開口部を開鎖させることができるので、肩ストラップの着脱を容易に行うことができる。
【００１８】
請求項３記載の肩ストラップ用取付具に係る発明では、本発明の肩ストラップ用取付具を肩ストラップの端部に用いた肩ストラップを、カップ付き女性用衣類本体に着脱可能にした衣類、例えばブラジャー等の下着類において、肩ストラップ用取付具に設けられた留め具を回動させ、前記取付本体及び前記留め具における嵌合手段を解除することによって、前記取付具における前記開口部を開鎖させることができるので、肩ストラップの着脱を容易に行うことができる。このとき、留め具における鉤状部は、肩ストラップにおける反転部を下方へ押動させて、肩ストラップ取付用穴の下方に連接される溝部へと湾入させることができる。
【００１９】
請求項４記載の肩ストラップ用取付具に係る発明では、本発明の肩ストラップ用取付具を肩ストラップの端部に用いた肩ストラップを、カップ付き女性用衣類本体に着脱可能にした衣類、例えばブラジャー等の下着類において、肩ストラップ用取付具に設けられた留め具を回動させ、前記取付本体及び前記留め具における嵌合手段を解除することによって、前記取付具における前記開口部を開鎖させることができるので、肩ストラップの着脱を容易に行うことができる。このとき、留め具における鉤状部は、肩ストラップにおける反転部を下方へ押動させて、肩ストラップ取付用穴の下方に連接される溝部へと湾入させることができる。
また、前記留め具は前記留め具における前記溝部の円弧とが合致して当接するまで回動することができるので、請求項２における肩ストラップ用取付具又は請求項３に係る請求項２における肩ストラップ用取付具よりも回動角度を大きくすることができる。
【００２０】
請求項５記載の肩ストラップに係る発明では、本発明の肩ストラップを用い、カップ付き女性用衣類本体に着脱可能にした衣類、例えばブラジャー等の下着類において、本発明の肩ストラップの端部に取り付けられた肩ストラップ用取付具に設けられた留め具を回動させ、前記取付本体及び前記留め具における嵌合手段を解除することによって、前記取付具における前記開口部を開鎖させることができるので、肩ストラップの着脱を容易に行うことができる。
【００２１】
請求項６記載のカップ付き女性用衣類に係る発明では、例えばブラジャー等の下着類において、本発明のカップ付き女性用衣類の肩ストラップの端部に取り付けられた肩ストラップ用取付具に設けられた留め具を回動させ、前記取付本体及び前記留め具における嵌合手段を解除することによって、前記取付具における前記開口部を開鎖させることができるので、肩ストラップの着脱を容易に行うことができる。
【発明の効果】
【００２２】
請求項１及び請求項２の発明によれば、本発明の肩ストラップ用取付具に設けられた留め具を回動させ、前記取付本体及び前記留め具における嵌合手段を解除することによって、前記取付具における前記開口部を開鎖させることができるので、肩ストラップの着脱を容易に行うことができる。
また、本発明の肩ストラップ用取付具を肩ストラップの端部に用いた肩ストラップを、カップ付き女性用衣類本体に取り付けた後において、本発明の肩ストラップ用取付具に設けられた前記取付本体及び前記留め具は、嵌合手段によって嵌合されている為、肩ストラップ用取付具の開口部は留め具によって閉鎖され、カップ付き女性用衣類本体に設けられた取付具用筒状部は留め具により抜けが防止されて、本発明の肩ストラップ用取付具は、カップ付き女性用衣類本体に設けられた取付具用筒状部に取り付けられた状態が維持され、肩ストラップはカップ付き女性用衣類本体より不用意に外れることはない。
【００２３】
請求項３の発明によれば、肩ストラップ用取付具に設けられた留め具を回動させ、前記取付本体及び前記留め具における嵌合手段を解除することによって、前記取付具における前記開口部を開鎖させることができる。このとき、留め具における鉤状部は、肩ストラップにおける反転部を下方へ押動させて、肩ストラップ取付用穴の下方に連接される溝部へと湾入させるので、前記留め具をより大きく回動させることができ、肩ストラップの着脱を更に容易に行うことができる。
また、請求項１及び請求項２に記載の効果と同様にして、本発明の肩ストラップ用取付具を肩ストラップの端部に用いた肩ストラップを、カップ付き女性用衣類本体に取り付けた後において、本発明の肩ストラップ用取付具に設けられた前記取付本体及び前記留め具は、嵌合手段によって嵌合されている為、肩ストラップ用取付具の開口部は留め具によって閉鎖され、カップ付き女性用衣類本体に設けられた取付具用筒状部は留め具により抜けが防止されて、本発明の肩ストラップ用取付具は、カップ付き女性用衣類本体に設けられた取付具用筒状部に取り付けられた状態が維持され、肩ストラップはカップ付き女性用衣類本体より不用意に外れることはない。
【００２４】
請求項４の発明によれば、請求項２における効果と同様の効果を奏するものであるが、前記留め具は前記留め具における前記溝部の円弧とが合致して当接するまで回動することができるので、請求項２における肩ストラップ用取付具又は請求項３に係る請求項２における肩ストラップ用取付具よりも回動角度を大きくすることができるので、肩ストラップの着脱を更に容易に行うことができる。
また、請求項１乃至請求項３に記載の効果と同様にして、本発明の肩ストラップ用取付具を肩ストラップの端部に用いた肩ストラップを、カップ付き女性用衣類本体に取り付けた後において、本発明の肩ストラップ用取付具に設けられた前記取付本体及び前記留め具は、嵌合手段によって嵌合されている為、肩ストラップ用取付具の開口部は留め具によって閉鎖され、カップ付き女性用衣類本体に設けられた取付具用筒状部は留め具により抜けが防止されて、本発明の肩ストラップ用取付具は、カップ付き女性用衣類本体に設けられた取付具用筒状部に取り付けられた状態が維持され、肩ストラップはカップ付き女性用衣類本体より不用意に外れることはない。
【００２５】
請求項５の発明によれば、本発明の肩ストラップをカップ付き女性用衣類本体に取り付けた後において、本発明の肩ストラップ用取付具に設けられた前記取付本体及び前記留め具は、嵌合手段によって嵌合されている為、肩ストラップ用取付具の開口部は留め具によって閉鎖され、カップ付き女性用衣類本体に設けられた取付具用筒状部は留め具により抜けが防止されて、本発明の肩ストラップ用取付具は、カップ付き女性用衣類本体に設けられた取付具用筒状部に取り付けられた状態が維持され、肩ストラップはカップ付き女性用衣類本体より不用意に外れることはない。
【００２６】
請求項６の発明によれば、肩ストラップの端部に取り付けられた肩ストラップ用取付具に設けられた前記取付本体及び前記留め具は、嵌合手段によって嵌合されている為、肩ストラップ用取付具の開口部は留め具によって閉鎖され、カップ付き女性用衣類本体に設けられた取付具用筒状部は留め具により抜けが防止されて、本発明の肩ストラップ用取付具は、カップ付き女性用衣類本体に設けられた取付具用筒状部に取り付けられた状態が維持され、肩ストラップはカップ付き女性用衣類本体より不用意に外れることはない。
【発明を実施するための最良の形態】
【００２７】
以下、本発明の実施の形態における肩ストラップ用取付具１を図面に基づいて説明する。
【実施例１】
【００２８】
本発明の実施例１における肩ストラップ用取付具１ａについて図１乃至図７に基づいて説明する。図１は、本発明の実施例１における肩ストラップ用取付具１ａにおける（ａ）取付具の正面図、（ｂ）取付具のＡ―Ａによる垂直断面図である。図２は、本発明の実施例１における肩ストラップ用取付具１ａにおける（ａ）留め具の正面図、（ｂ）留め具の右側面図である。図３は、本発明の実施例１における肩ストラップ用取付具１ａにおける（ａ）平面図、（ｂ）右側面図である。図４は、本発明の実施例１における肩ストラップ用取付具１ａにおける留め具を回動させたときの正面図である。図５は、本発明の実施例１における肩ストラップ用取付具１ａを有した肩ストラップをブラジャーに取り付ける際、裏側から見た部分説明図である。図６は、本発明の実施例１における肩ストラップ用取付具１ａを有した肩ストラップをブラジャーに取り付ける際の、（ａ）裏側から見た部分拡大図における留め具の回動時の正面図、（ｂ）部分拡大図における肩ストラップを断面とした肩ストラップ用取付具の使用状態を説明する正面図である。図７は、本発明の実施例１における肩ストラップ用取付具１ａを有した肩ストラップをブラジャーに取り付ける際、裏側から見た部分拡大図における（ｃ）肩ストラップ用取付具装着図、（ｄ）肩ストラップ用取付具装着完了図である。
【００２９】
図３（ａ）及び（ｂ）に示すように、肩ストラップ用取付具１ａは、取付具２及び留め具３から構成されている。
前記取付具２は、図１（ａ）及び（ｂ）に示すように、樹脂で成形され、略長方形の取付本体２ａに係止用ストランド２ｄを有してなるものである。前記取付本体２ａにおける中央上方には、肩ストラップ５を通すための肩ストラップ取付用穴２ｂが設けられており、前記肩ストラップ取付用穴２ｂより更に上方には上縁部２ｊが設けられている。また、前記上縁部２ｊを有する側であって、前記取付本体２ａにおける幅方向の一端部の隅部近傍には、前記留め具３を取り付けるための留め具用穴２ｃが設けられている。前記肩ストラップ取付用穴２ｂは、略長方形状の貫通孔の下方中央位置に半円弧状からなる貫通孔の溝部２ｇが連接して形成されている。また、前記肩ストラップ５が摩擦等によって破損しないように、前記肩ストラップ取付用穴２ｂにおける各角部は丸くされている。また、前記取付本体２ａにおける中央部付近には、略ハート形状の貫通孔からなる装飾部２ｈが設けられている。本実施例において、前記装飾部２ｈは略ハート形状の貫通孔としているが、円形状、四角形、星型形状等の様々な形状にすることができ、ダイヤカット等の装飾品を取り付けることもできる。
【００３０】
前記留め具用穴２ｃを有しない他端側の前記取付本体２ａにおける下方の隅部からは、開口部２ｉを有するようにして係止ストランド２ｄが設けられている。前記係止ストランド２ｄは、後述するブラジャー４の取付具用筒状部４ｂに挿入させるために設けられている。また、前記係止ストランド２ｄの端部は、前記取付本体２ａにおける前記留め具用穴２ｂを有する側の幅方向の一端に沿うよう設けられている。更に、前記開口部２ｉに面しない前記係止ストランド２ｄの端部の近傍には切欠部２ｆを有する。前記切欠部２ｆは、前記係止ストランド２ｄの端面から略半円弧状を切り欠いたものである。一方、前記開口部２ｉに面する前記係止ストランド２ｄにおける係止面部２ｅの端部近傍は、後述する留め具３における係合部３ｄが嵌挿されやすいよう、又はブラジャー４の取付具用筒状部４ｂに挿入されやすいよう、面取りされていることが望ましい。
【００３１】
前記留め具３は、図２（ａ）及び（ｂ）に示すように、本体部３ａ及びアーム部３ｂからＬ字状に構成されている。前記本体部３ａと前記アーム部３ｂの交会部の一端面には、前記取付具２における前記留め具用穴２ｃに係合される環状凸部３ｃが設けられている。また、前記環状凸部３ｃの形状は、図２（ｂ）に示すように、略キノコ状としており、その先端部は前記取付具２が抜けないよう、抜け止めが設けられている。また、前記本体部３ａにおける端部の前記環状凸部３ｃと同一端面には、直方体からなる前記係合部３ｄが設置されている。前記係合部３ｄには、前記アーム部３ｂと平行して略長方形の貫通孔３ｅが設けられており、前記貫通孔３ｅにおける下方の端面には、前記取付具２における前記切欠部２ｆと嵌合する凸部３ｆが設けられている。前記貫通孔３ｅは、前記取付具２における前記係止ストランド２ｄが嵌挿されるよう、前記係止ストランド２ｄの外形よりも僅かに大きく設けてあればよい。
また、前記アーム部３ｂの端部には、前記肩ストラップ５を押動させる鉤状部３ｇが設けられている。前記鉤状部３ｇは、前記アーム部３ｂにおける上端面と同一面状とし、前記アーム部３ｂにおける下端面より突出してなる。また、前記肩ストラップ５が摩擦等によって破損しないように、前記鉤状部３ｇは略円弧状とすることが望ましい。
【００３２】
このようにして構成される前記取付具２及び前記留め具３は、図３（ａ）及び（ｂ）に示すように取り付けられる。前記留め具３は、前記環状凸部３ｃを前記取付具２における前記留め具用穴２ｃに取り付けられる。このとき、前記環状凸部３ｃにおける抜け止め作用を有する先端部の外形は、前記留め具用穴２ｃより大きく設けられているが、両者は樹脂から形成されており、前記留め具３を押圧することで前記取付具２に容易に取り付けることができる。
また、前記留め具３における前記アーム部３ｂの前記鉤状部３ｇは、前記取付具２における幅方向の中央付近に位置することが望ましい。
このとき、前記取付具２における前記留め具用穴２ｃを有する一端部の前記肩ストラップ取付用穴２ｂとの間の幅と、前記留め具３における前記本体部３ａの幅方向は同一であることが望ましい。
また、前記取付具２における前記上縁部２ｊの幅と、前記留め具３における前記アーム部３ｂの幅方向は同一であることが望ましい。
さらに、前記留め具３における前記本体部３ａの端面は、前記取付具２における幅方向の端面と同一であることが望ましく、前記留め具３における前記アーム部３ｂの端面は、前記取付具２における前記上縁部２ｊの端面と同一であることが望ましい。
また、前記留め具３に設けられている前記係合部３ｄの前記凸部３ｆは、前記係止ストランド２ｄにおける前記切欠部２ｆと嵌合され、前記取付具２における前記開口部２ｉは前記留め具３によって閉塞される。
【００３３】
また、前記取付具２における前記留め具用穴２ｃと前記留め具３における前記環状凸部３ｃの接合手段は、前記留め具用穴２ｃ及び前記環状凸部３ｃの相互の形状を置換することもできる。前記留め具用穴２ｃ若しくは前記環状凸部３ｃにおける接合手段を中心として、前記留め具３が回動できればよいものである。
【００３４】
一方、前記取付具２における前記切欠部２ｆと前記留め具３における前記凸部３ｆの嵌合手段は、他の形状とすることもできる。両者が嵌合されることによって、前記留め具３にて前記取付具２における前記開口部２ｉが閉塞され、ブラジャー４の取付具用筒状部４ｂから脱着されなければよいものである。
【００３５】
ここで、前記肩ストラップ用取付具１ａを肩ストラップ５に取り付け、衣類本体に着脱可能とした衣類として、ブラジャー４を例にとり図５乃至図７に基づいて説明する。図５は、前記肩ストラップ５を前記ブラジャー４本体に着脱可能とした一例の前記肩ストラップ用取付具１ａを有する前記ブラジャー４の裏側から見た部分説明図を示す。
【００３６】
前記肩ストラップ５の端部は、前記肩ストラップ用取付具１ａにおける前記肩ストラップ取付用穴２ｂを通って反転されて、肩ストラップ縫製部５ａで縫製されて前記肩ストラップ用取付具１ａに取り付けられている。
【００３７】
一方、布地からなる前記取付具用筒状部４ｂは、前記ブラジャー４のカップ部４ａの裏側の上側端部に筒状の取付穴４ｄが形成できるように布地を丸めて、縫製部４ｃでカップ部４ａの裏側に縫着されている。
【００３８】
前記肩ストラップ５を前記ブラジャー４本体に取り付ける場合には、図６（ａ）に示すように、前記留め具３を一定角度回動させ、前記留め具３及び前記取付本体２ａにおける嵌合手段を解除することによって、前記留め具３によって閉塞された前記取付具２における前記開口部２ｉを開鎖させる。
このとき、図６（ｂ）に示すように、前記肩ストラップ５における反転部５ｂは、前記留め具３が反時計周りに回動した前記アーム部３ｂの先端に設けられる前記鉤状部３ｇによって下方へ押動される。
また、前記肩ストラップ５における前記反転部５ｂが、前記取付具２における前記肩ストラップ取付用穴２ｂの前記溝部２ｇに湾入することによって、前記留め具３をより大きく回動させることができる。
これにより、前記肩ストラップ５における前記係止ストランド２ｄは、前記取付具用筒状部４ｂの前記取付穴４ｄに挿入させやすくすることができる。
【００３９】
次に、図７（ｃ）に示すように、前記取付具用筒状部４ｂの前記取付穴４ｄに、前記肩ストラップ用取付具１ａの前記係止用ストランド２ｄを特定の一方向から差し込んで、前記係止用ストランド２ｄの前記切欠部２ｆが前記取付穴４ｄの反対側に突き出るようにして取り付ける。このとき、前記係止ストランド２ｄは、前記取付具用筒状部４ｂよりも長く形成されているほうが好ましい。
【００４０】
そして、図７（ｃ）に示す矢印のように、前記肩ストラップ５を上方へ引き上げることで、前記肩ストラップ５における前記反転部５ｂによって、前記留め具３の前記アーム部３ｂの先端に設けられる前記鉤状部３ｇは押動され、時計周りに回動する。
【００４１】
これによって、図７（ｄ）に示すように、前記留め具３における前記凸部３ｆは、再び前記取付本体２における前記係止ストランド２ｄの前記切欠部２ｆに嵌合されて、前記取付具２における前記開口部２ｉは閉鎖される。
また、前記留め具３の前記アーム部３ｂは、常に前記肩ストラップ５により引き上げられているので、前記留め具３は前記留め具用穴２ｃ及び前記環状凸部３ｃを中心として、時計回りに回動しようとするため、前記留め具３に設けられている前記係合部３ｄの前記凸部３ｆは、前記係止ストランド２ｄにおける前記切欠部２ｆと嵌合された状態を保持し、前記取付具２における前記開口部２ｉは前記留め具３によって常に閉塞される。
これによって、前記留め具３の前記係止ストランド２ｄは、前記取付具用筒状部４ｂより抜けが防止されて、前記肩ストラップ用取付具１ａは前記取付具用筒状部４ｂに取り付けられた状態が維持され、前記肩ストラップ５は前記ブラジャー４本体より外れることはない。
【００４２】
また、前記肩ストラップ５を前記ブラジャー４本体から外す場合には、前記留め具３における前記凸部３ｆ及び前記取付本体２ａにおける前記切欠部２ｆの係合を解除して、前記留め具３を回動させながら、前記肩ストラップ用取付具１ａの前記係止用ストランド２ｄを前記取付具用筒状部４ｂの前記取付け穴４ｄから、差し込んだ方向と反対側に引き抜けばよい。
【００４３】
本実施例によれば、夏期等の暑い時期や、イブニングドレス等のアウターウェアを着用する場合において、ブラジャー等の下着類の前記肩ストラップ５の前記肩ストラップ用取付具１ａに設けられた前記留め具３を回動させ、前記留め具３における前記凸部３ｆ及び前記取付本体２における前記切欠部２ｆの係合を解除することによって、着脱を容易に行うことができる。
また、取付後においては、前記留め具３の前記アーム部３ｂは、常に前記肩ストラップ５により引き上げられているので、前記留め具３における前記凸部３ｆは前記取付本体２における前記切欠部２ｆと嵌合された状態を保持し、前記開口部２ｉは前記留め具３によって閉鎖され、前記取付具用筒状部４ｂは前記留め具３により抜けが防止されて、前記肩ストラップ用取付具１ａは前記取付具用筒状部４ｂに取り付けられた状態が維持され、前記肩ストラップ５は前記ブラジャー４本体より不用意に外れることはない。
【００４４】
また、本発明は、上記実施例には限られず、各種のカップ付き女性用衣類、例えば、ブラスリット、ボディースーツ、キャミソール等においても採用することができる。
【実施例２】
【００４５】
本発明の実施例２における肩ストラップ用取付具１ｂについて図８乃至図１３に基づいて説明する。図８は、本発明の実施例２における肩ストラップ用取付具１ｂにおける（ａ）取付具の正面図、（ｂ）取付具のＢ―Ｂによる垂直断面図である。図９は、本発明の実施例２における肩ストラップ用取付具１ｂにおける（ａ）取付具の右側面図、（ｂ）取付具の平面図である。図１０は、本発明の実施例２における肩ストラップ用取付具１ｂにおける（ａ）留め具の正面図、（ｂ）留め具の右側面図である。図１１は、本発明の実施例２における肩ストラップ用取付具１ｂにおける（ａ）留め具の平面図、（ｂ）留め具の底面図である。図１２は、本発明の実施例２における肩ストラップ用取付具１ｂにおける（ａ）平面図、（ｂ）右側面図である。図１３は、本発明の実施例２における肩ストラップ用取付具１ｂにおける留め具を回動させたときの正面図である。
【００４６】
基本構成は、前記実施例１における前記肩ストラップ用取付具１ａと同様であり、作用及び効果においても同様である。よって、以下に構成のみを説明する。図１２（ａ）及び（ｂ）に示すように、前記肩ストラップ用取付具１ｂは、取付具６及び留め具７から構成されている。
【００４７】
前記取付具６は、図８（ａ）、（ｂ）及び図９（ａ）、（ｂ）に示すように、樹脂で成形され、略長方形の取付本体６ａに係止用ストランド６ｄを有してなるものである。前記取付本体６ａにおける中央上方には、肩ストラップ５を通すための肩ストラップ取付用穴６ｂが設けられており、前記肩ストラップ取付用穴６ｂより更に上方には、上縁部６ｋ及び厚み方向に薄くなるよう段差を有して上縁凹部６ｉが設けられている。また、前記上縁部６ｋ及び前記上縁凹部６ｉを有する側であって、前記取付本体６ａにおける幅方向の一端部の隅部近傍には、前記留め具７を取り付けるための留め具用切欠き６ｃが設けられている。前記留め具用切欠き６ｃは、前記取付具６における外形に面する係入口と奥へと広がる湾部とからなるものである。
また、前記肩ストラップ取付用穴６ｂは、略長方形状の貫通孔の下方位置に半円弧状からなる貫通孔の溝部６ｇが連接して２個形成されている。また、前記肩ストラップ５が摩擦等によって破損しないように、前記肩ストラップ取付用穴６ｂにおける各角部は丸くされている。
【００４８】
前記留め具用切欠き６ｃを有しない他端側の前記取付本体６ａにおける下方の隅部からは、開口部６ｊを有するようにして係止ストランド６ｄが設けられている。前記係止ストランド６ｄは、後述するブラジャー４の取付具用筒状部４ｂに挿入させるために設けられている。また、前記係止ストランド６ｄの端部は、前記取付本体６ａにおける前記留め具用切欠き６ｃを有する側の幅方向の一端に沿うよう設けられている。更に、前記開口部６ｊに面しない前記係止ストランド６ｄの端部の近傍には切欠部６ｆを有する。前記切欠部６ｆは、前記係止ストランド６ｄの端面から略半円弧状を切り欠いたものである。一方、前記開口部６ｊに面する前記係止ストランド６ｄにおける係止面部６ｅの端部近傍は、後述する留め具７における係合部７ｄが嵌挿されやすいよう、又はブラジャー４の取付具用筒状部４ｂに挿入されやすいよう、面取りされていることが望ましい。
また、前記留め具用切欠き６ｃを有する前記取付具６の一端側には、前記上縁凹部６ｉと同様の段差を有する端縁凹部６ｈが設けられており、前記上縁凹部６ｉから前記取付具６の外形に沿うようにして略Ｌ字状を形成している。前記上縁凹部６ｉ及び前記端縁凹部６ｈには、後に説明する前記留め具７が嵌合される。
【００４９】
前記留め具７は、図１０（ａ）、（ｂ）及び図１１（ａ）、（ｂ）に示すように、本体部７ａ及びアーム部７ｂから略Ｌ字状に構成されている。前記留め具７は、図１０（ｂ）に示すように、頂部７ｉ、筒部７ｃ及び係合部７ｄによって、本体部７ａ及びアーム部７ｂからなる略Ｌ字状部材が２つ連結される構成とし、前記留め具７における側面の中央部には、空洞部７ｈが設けられている。前記筒部７ｃは、前記本体部７ａと前記アーム部７ｂの交会部に円筒状に形成されており、前記取付具６における前記留め具用切欠き６ｃと嵌合させるものである。
また、前記係合部７ｄは、貫通孔７ｅを有するものであり、前記貫通孔７ｅにおける下方の端面には、前記取付具６における前記切欠部６ｆと嵌合する凸部７ｆが設けられている。前記貫通孔７ｅは、前記取付具６における前記係止ストランド６ｄが嵌挿されるよう、前記係止ストランド６ｄの外形よりも僅かに大きく設けてあればよい。
また、前記アーム部７ｂの端部には、前記肩ストラップ５を押動させる鉤状部７ｇが設けられている。前記鉤状部７ｇは、前記アーム部７ｂにおける上端面と同一面状とし、前記アーム部７ｂにおける下端面より突出してなる。また、前記肩ストラップ５が摩擦等によって破損しないように、前記鉤状部７ｇは略円弧状とすることが望ましい。
また、前記頂部７ｉは、前記留め具７の補強、及び前記留め具７を回動させる際のつまみとして機能するものである。
【００５０】
このようにして構成される前記取付具６及び前記留め具７は、図１２（ａ）及び（ｂ）に示すように取り付けられる。
前記留め具７における前記筒部７ｃを前記取付具６における前記留め具用切欠き６ｃに取り付ける。このとき、前記筒部７ｃの外形は、前記留め具用切欠き６ｃの前記係入口より大きく設けられ、前記湾部より僅かに小さく設けられている。また、前記取付具６及び前記留め具７は樹脂から形成されており、前記留め具７を押圧することで、前記取付具６における前記留め具用切欠き６ｃの前記湾部に容易に取り付けることができる。
このとき、前記留め具７は、前記取付具６における前記上縁凹部６ｉ及び前記端縁凹部６ｈに係合される。すなわち、前記留め具７における前記アーム部７ｂの前記鉤状部７ｇは、前記取付具６における前記上縁部６ｋの端部と当接することが望ましい。
また、前記取付具６における前記上縁凹部６ｉと前記留め具７における前記アーム部７ｂの幅は同一であることが望ましく、前記取付具６における前記端縁凹部６ｈと前記留め具７における前記本体部７ａの幅も同一であることが望ましい。
更に、係合時においては、前記取付具６における前記取付本体６ａの厚さ方向の端面と前記留め具７における厚さ方向の端面とが、同一面上になることが望ましい。
また、前記取付具６における前記取付本体６ａは、前記留め具７における前記空洞部７ｈに嵌入され、前記留め具７に設けられている前記係合部７ｄの前記凸部７ｆは、前記係止ストランド６ｄにおける前記切欠部６ｆと嵌合され、前記取付具６における前記開口部６ｊは前記留め具７によって閉塞される。
【００５１】
また、前記取付具６における前記留め具用切欠き６ｃと前記留め具７における前記筒部７ｃの接合手段は、他の周知の形状とすることもできる。前記留め具用切欠き６ｃ若しくは前記筒部７ｃにおける接合手段を中心として、前記留め具７が回動できればよいものである。
【００５２】
一方、前記取付具６における前記切欠部６ｆと前記留め具７における前記凸部７ｆの嵌合手段は、他の周知の形状とすることもできる。両者が嵌合されることによって、前記留め具７にて前記取付具６における前記開口部６ｊが閉塞され、ブラジャー４の取付具用筒状部４ｂから脱着されなければよいものである。
【００５３】
このようにして構成される前記肩ストラップ用取付具１ｂは、図１３に示すようにして、前記留め具７が回動される。前記留め具７を一定角度回動させ、前記留め具７及び前記取付具６における嵌合手段を解除することによって、前記留め具７によって閉塞された前記取付具６における前記開口部６ｊを開鎖させる。
このとき、前記取付具６における前記溝部６ｇは、前記留め具７における前記鉤状部７ｇと同一円弧にて形成されているため、前記鉤状部７ｇは前記溝部６ｇと当接するまで回動することができる。
これによって、前記実施例１における前記留め具３の回動角度よりも大きくすることができるので、前記実施例１における前記肩ストラップ１ａよりも更に、前記取付具用筒状部４ｂの前記取付穴４ｄに挿入させやすくすることができる。
このようにして前記肩ストラップ用取付具１ｂは構成され、前記実施例１と同様にして、各種のカップ付き女性用衣類に取り付けられる。
【００５４】
また、前記取付具６における前記溝部６ｇは、前記実施例１における前記取付具２に設けられる前記溝部２ｇのように、前記肩ストラップ取付用穴６ｂの下方中央位置の１箇所のみに設けることもできる。
【実施例３】
【００５５】
本発明の実施例３における肩ストラップ用取付具１ｃについて図１４乃至図１９に基づいて説明する。図１４は、本発明の実施例３における肩ストラップ用取付具１ｃにおける（ａ）取付具の正面図、（ｂ）取付具のＣ―Ｃによる垂直断面図である。図１５は、本発明の実施例３における肩ストラップ用取付具１ｃにおける（ａ）取付具の右側面図、（ｂ）取付具の平面図である。図１６は、本発明の実施例３における肩ストラップ用取付具１ｃにおける（ａ）留め具の正面図、（ｂ）留め具の右側面図である。図１７は、本発明の実施例３における肩ストラップ用取付具１ｃにおける（ａ）留め具の平面図、（ｂ）留め具の底面図である。図１８は、本発明の実施例３における肩ストラップ用取付具１ｃにおける（ａ）平面図、（ｂ）右側面図である。図１９は、本発明の実施例３における肩ストラップ用取付具１ｃにおける留め具を回動させたときの正面図である。
【００５６】
基本構成は、前記実施例２における前記肩ストラップ用取付具１ｂと同様であり、作用及び効果においても同様である。よって、以下に相違する構成のみを説明する。図１８（ａ）及び（ｂ）に示すように、前記肩ストラップ用取付具１ｃは、取付具８及び留め具９から構成されている。
【００５７】
前記取付具８は、図１４（ａ）、（ｂ）及び図１５（ａ）、（ｂ）に示すように、樹脂で成形され、略長方形の取付本体８ａに係止用ストランド８ｄを有してなるものである。前記実施例２における前記肩ストラップ用取付具１ｂと相違する構成は、前記取付具８における長さ方向の略中央部につまみ部８ｌを、前記取付具８における中央部に装飾部８ｍを設けた点である。
前記つまみ部８ｌは、前記取付具８の中央部に向かって、幅方向における外形端部から、略半円弧状を切り欠いた形状であって、着用者が前記肩ストラップ用取付具１ｃを掴み易くする為に設けられるものである。
また、前記実施例１における前記装飾部２ｈと同様にして、前記取付本体８ａにおける中央部付近に、略ハート形状の貫通孔からなる装飾部８ｍが設けられている。本実施例において、前記装飾部８ｍは略ハート形状の貫通孔としているが、円形状、四角形、星型形状等の様々な形状にすることができ、ダイヤカット等の装飾品を取り付けることもできる。
【００５８】
前記留め具９は、図１６（ａ）、（ｂ）及び図１７（ａ）、（ｂ）に示すように、本体部９ａ及びアーム部９ｂから略Ｌ字状に構成されている。前記実施例２における前記肩ストラップ用取付具１ｂと相違する構成は、前記留め具９における本体部９ａの略中央部に曲部９ｊを設けた点である。
前記曲部９ｊは、前記取付具８における前記つまみ部８ｌと同様、着用者が前記肩ストラップ用取付具１ｃを掴み易くする為に設けられるものである。
従って、前記実施例２における前記肩ストラップ用取付具１ｂと同様、前記留め具９が前記取付具８に係合される際には、相互の形状が一致することが望ましい。
【００５９】
前記肩ストラップ用取付具１ｃにおける他の構成、作用及び効果は、前記実施例２における前記肩ストラップ用取付具１ｂと同様のものであり、また、前記実施例１及び前記実施例２と同様にして、各種のカップ付き女性用衣類に取り付けて使用されるものである。
【００６０】
また、前記取付具８における前記溝部８ｇは、前記実施例１における前記取付具２に設けられる前記溝部２ｇのように、前記肩ストラップ取付用穴８ｂの下方中央位置の１箇所のみに設けることもできる。
【図面の簡単な説明】
【００６１】
【図１】本発明の実施例１における肩ストラップ用取付具における（ａ）取付具の正面図、（ｂ）取付具のＡ―Ａによる垂直断面図である。
【図２】本発明の実施例１における肩ストラップ用取付具における（ａ）留め具の正面図、（ｂ）留め具の右側面図である。
【図３】本発明の実施例１における肩ストラップ用取付具における（ａ）平面図、（ｂ）右側面図である。
【図４】本発明の実施例１における肩ストラップ用取付具における留め具を回動させたときの正面図である。
【図５】本発明の実施例１における肩ストラップ用取付具を有した肩ストラップをブラジャーに取り付ける際、裏側から見た部分説明図である。
【図６】本発明の実施例１における肩ストラップ用取付具を有した肩ストラップをブラジャーに取り付ける際の、（ａ）裏側から見た部分拡大図における留め具の回動時の正面図、（ｂ）部分拡大図における肩ストラップを断面とした肩ストラップ用取付具の使用状態を説明する正面図である。
【図７】本発明の実施例１における肩ストラップ用取付具を有した肩ストラップをブラジャーに取り付ける際、裏側から見た部分拡大図における（ｃ）肩ストラップ用取付具装着図、（ｄ）肩ストラップ用取付具装着完了図である。
【図８】本発明の実施例２における肩ストラップ用取付具における（ａ）取付具の正面図、（ｂ）取付具のＢ―Ｂによる垂直断面図である。
【図９】本発明の実施例２における肩ストラップ用取付具における（ａ）取付具の右側面図、（ｂ）取付具の平面図である。
【図１０】本発明の実施例２における肩ストラップ用取付具における（ａ）留め具の正面図、（ｂ）留め具の右側面図である。
【図１１】本発明の実施例２における肩ストラップ用取付具における（ａ）留め具の平面図、（ｂ）留め具の底面図である。
【図１２】本発明の実施例２における肩ストラップ用取付具における（ａ）平面図、（ｂ）右側面図である。
【図１３】本発明の実施例２における肩ストラップ用取付具における留め具を回動させたときの正面図である。
【図１４】本発明の実施例３における肩ストラップ用取付具における（ａ）取付具の正面図、（ｂ）取付具のＣ―Ｃによる垂直断面図である。
【図１５】本発明の実施例３における肩ストラップ用取付具における（ａ）取付具の右側面図、（ｂ）取付具の平面図である。
【図１６】本発明の実施例３における肩ストラップ用取付具における（ａ）留め具の正面図、（ｂ）留め具の右側面図である。
【図１７】本発明の実施例３における肩ストラップ用取付具における（ａ）留め具の平面図、（ｂ）留め具の底面図である。
【図１８】本発明の実施例３における肩ストラップ用取付具における（ａ）平面図、（ｂ）右側面図である。
【図１９】本発明の実施例３における肩ストラップ用取付具における留め具を回動させたときの正面図である。
【図２０】従来の肩ストラップ用取付具の正面図である。
【図２１】従来の肩ストラップ用取付具を取り付けたときのブラジャーの正面図である。
【符号の説明】
【００６２】
１  肩ストラップ用取付具
１ａ、１ｂ、１ｃ  肩ストラップ用取付具
２    取付具
２ａ  取付本体
２ｂ  肩ストラップ取付用穴
２ｃ  留め具用穴
２ｄ  係止用ストランド
２ｅ  係止面部
２ｆ  切欠部
２ｇ  溝部
２ｈ  装飾部
２ｉ  開口部
２ｊ  上縁部
３    留め具
３ａ  本体部
３ｂ  アーム部
３ｃ  環状凸部
３ｄ  係合部
３ｅ  貫通孔
３ｆ  凸部
３ｇ  鉤状部
４    ブラジャー
４ａ  カップ部
４ｂ  取付具用筒状部
４ｃ  縫製部
４ｄ  取付穴
５    肩ストラップ
５ａ  肩ストラップ縫製部
５ｂ  反転部
６    取付具
６ａ  取付本体
６ｂ  肩ストラップ取付用穴
６ｃ  留め具用切欠き
６ｄ  係止用ストランド
６ｅ  係止面部
６ｆ  切欠部
６ｇ  溝部
６ｈ  端縁凹部
６ｉ  上縁凹部
６ｊ  開口部
６ｋ  上縁部
７    留め具
７ａ  本体部
７ｂ  アーム部
７ｃ  筒部
７ｄ  係合部
７ｅ  貫通孔
７ｆ  凸部
７ｇ  鉤状部
７ｈ  空洞部
７ｉ  頂部
８    取付具
８ａ  取付本体
８ｂ  肩ストラップ取付用穴
８ｃ  留め具用切欠き
８ｄ  係止用ストランド
８ｅ  係止面部
８ｆ  切欠部
８ｇ  溝部
８ｈ  端縁凹部
８ｉ  上縁凹部
８ｊ  開口部
８ｋ  上縁部
８ｌ  つまみ部
８ｍ  装飾部
９    留め具
９ａ  本体部
９ｂ  アーム部
９ｃ  筒部
９ｄ  係合部
９ｅ  貫通孔
９ｆ  凸部
９ｇ  鉤状部
９ｈ  空洞部
９ｉ  頂部
９ｊ  曲部
１０    取付具
１０ａ  取付本体
１０ｂ  肩ストラップ取付用穴
１０ｃ  係止用ストランド
１０ｄ  係止部
１０ｅ  開口部
【図１】
2008274497.tif 000003
【図２】
2008274497.tif 000004
【図３】
2008274497.tif 000005
【図４】
2008274497.tif 000006
【図５】
2008274497.tif 000007
【図６】
2008274497.tif 000008
【図７】
2008274497.tif 000009
【図８】
2008274497.tif 000010
【図９】
2008274497.tif 000011
【図１０】
2008274497.tif 000012
【図１１】
2008274497.tif 000013
【図１２】
2008274497.tif 000014
【図１３】
2008274497.tif 000015
【図１４】
2008274497.tif 000016
【図１５】
2008274497.tif 000017
【図１６】
2008274497.tif 000018
【図１７】
2008274497.tif 000019
【図１８】
2008274497.tif 000020
【図１９】
2008274497.tif 000021
【図２０】
2008274497.tif 000022
【図２１】
2008274497.tif 000023